(57)【特許請求の範囲】
【請求項１】
検出器を用いて指掌から指掌紋を読み取る際に、前記指掌に塗布して使用する皮膚調整剤であって、
油脂性成分を含有する溶媒を保持してなるゲル組成物であり、
該ゲル組成物を形成するゲル化剤として植物性多糖類及び動物性たんぱく質から選択される１種又は2種以上が選択され、また
前記油脂性成分が、前記溶媒中でＯ／Ｗ型エマルションの形態で存在するとともに、親水性の多価アルコールを主成分とするものであることを特徴とする指掌紋読み取り用皮膚調整剤。
【請求項２】
前記油脂性成分としてさらに脂肪酸エステルを含有することを特徴とする請求項１記載の指掌紋読み取り用皮膚調整剤。
【請求項３】
さらに前記溶媒が界面活性剤を含有することを特徴とする請求項１又は２記載の指掌紋読み取り用皮膚調整剤。
【請求項４】
前記界面活性剤が非イオン界面活性剤及び／又は陰イオン界面活性剤であることを特徴とする請求項３記載の指掌紋読み取り用皮膚調整剤。
【請求項５】
前記ゲル組成物が、発泡ゲル組成物であることを特徴とする請求項１、２、３又は４記載の指掌紋読み取り用皮膚調整剤。
【請求項６】
前記請求項１、２、３、４又は５記載の指掌紋読み取り用皮膚調整剤が容器に充填されてなり、前記ゲル組成物表面に触れることで前記指掌に前記溶媒を塗布可能とされていることを特徴とする指掌紋読み取り用皮膚調整剤。
【請求項７】
前記ゲル組成物が流下防止剤を含有してなり、前記容器を開放状態で、直立させた際に、前記ゲル組成物が前記容器の垂直面となる開放面から流下しないことを特徴とする請求項６記載の指掌紋読み取り用皮膚調整剤。
【発明の詳細な説明】
【０００１】
【発明の属する技術分野】
本発明は、検出器を用いて指掌から指掌紋を読み取る際に、指掌に塗布して使用する皮膚調整剤に関する。特に、容器に充填され、触れるだけで指掌に調整剤を塗布可能とされているゲル状の皮膚調整剤に関し、特に指紋認証システムに好適な発明である。
【０００２】
【従来の技術】
検出器を用いて指掌から指掌紋を読み取り、照合することで、個人識別を行う指紋認証システムが現在注目されつつある。例えば、警察関係で使用される犯人の割り出し等の迅速化に有用な指紋押捺装置をはじめ、一般家庭や各種企業においては、マンションの玄関、出入り口等のセキュリティーシステム、クレジットカードの悪用防止や、パソコン、タイムレコーダー等各種機器の本人認証等に指紋認証システムを適用することが実用・検討されている。
【０００３】
上記指紋認証システムにおける指からの指紋の読み取りにおいては、例えば下記の方法が採用されている。
【０００４】
▲１▼静電容量型半導体センサによる方法…指を半導体センサの上に置き、指の凹凸で生じる電位の差を利用して静電容量を計測し、指紋の模様を読み取るもの
▲２▼光学式（ＣＣＤ）方法：指をガラス面の上に置き、光の反射を利用し、反射光量の大小を電気信号に変換して指紋の模様を読み取るもの。
【０００５】
上記指紋の読み取りにおいて、従来、多汗症の人、脂症の人、乾燥肌の人、指紋隆線が細い人（特に女性）等は、認証率が低くなる傾向にあった。原因としては、多汗症・脂性の人は汗や皮脂分が多すぎて指紋（隆線）が潰れるためで、一方、乾燥肌の人は逆に皮脂分が少なく、うまく感知できないためである。
【０００６】
よって、指先の皮膚の状態を良好にし、認証率を上げるために、本出願人は、先にエアゾール式の指掌紋押捺用皮膚調整剤を出願している（特開２０００−２４５７１４号公報参照）。該皮膚調整剤は、泡状に噴射して使用するものであって、その泡を手に馴染ませて塗布した後、上記システムを用いて指紋を認証することで、より認証率を上げることができる。
【０００７】
しかし、扱いによっては、泡が多量に噴射され手に馴染ませるのに時間がかかる場合や、余計な油分が指掌に残る可能性があり、指紋認証に不備が生じる場合があった。
【０００８】
【発明が解決しようとする課題】
本発明は、上記にかんがみて、より簡単に指掌に塗布可能で、指紋認証率も良好な皮膚調整剤を提供することを課題とする。
【０００９】
【課題を解決するための手段】
本発明者は、上記課題を解決するために鋭意研究・開発に努力する過程で、下記構成を有するゲル状の皮膚調整剤に想到した。
【００１０】
検出器を用いて指掌から指掌紋を読み取る際に、前記指掌に塗布して使用する皮膚調整剤であって、油脂性成分を含有する溶媒を保持してなるゲル組成物であり、
該ゲル組成物を形成するゲル化剤として植物性多糖類及び動物性たんぱく質から選択される１種又は2種以上が選択され、また
前記油脂性成分が、前記溶媒中でＯ／Ｗ型エマルションの形態で存在するとともに、親水性の多価アルコールを主成分とするものであることを特徴とする。
【００１３】
上記構成において、さらに溶媒が界面活性剤を含有すると、油脂成分の乳化状態が安定する。
【００１４】
上記構成において、界面活性剤が非イオン界面活性剤及び／又は陰イオン界面活性剤であることが望ましい。非イオン界面活性剤は、容易に親水親油バランス：ＨＬＢ（Hydrophilic-Lipophilic Balance）が調整でき、陰イオン界面活性剤は発泡性に優れているため、後述の発泡ゲル組成物を製造しやすい。
【００１５】
上記ゲル組成物は発泡ゲル組成物であることが望ましい。安定な弾力性が付与でき、皮膚調整剤の過剰な塗布がなくなるとともに、ゲルの強度が向上する。
【００１６】
上記指掌紋読み取り用皮膚調整剤は容器に充填されてなり、ゲル組成物表面に触れることで指掌に溶媒を塗布可能とされていることが、取扱性及び指掌への塗布性の見地から望ましい。
【００１７】
そして、ゲル組成物が、容器を開放状態で直立させた際に、容器の垂直面となる開放面から流下しないよう、流下防止剤を含有することが望ましい。形態保持性に優れ、容器からのゲル組成物の離脱が防止できるため、容器を縦の状態にして使用することができ、使用用途が拡大する。
【００１８】
【発明の実施の形態】
以下、本発明の実施形態について、詳細に説明を行う。本明細書において、配合量を現す「％」等は、特に断らない限り質量基準とする。
【００１９】
本発明は、検出器を用いて指掌から指掌紋を読み取る際に、指掌に塗布して使用する皮膚調整剤であって、油脂性成分を含有する溶媒を保持してなるゲル組成物であることを特徴とする。
【００２０】
ゲル組成物としては、現在市販されている消臭芳香剤等（吸水樹脂で無いもの）に使用されているようなゲル状製品を適用することができる。この様なゲルの表面は、サラサラ、ツルツルしており油脂性成分を含有していても、油分を感じない物が多い。また、これらゲル状製品の多くは、ゼリー等食品関係に多く使われている多糖類を使用しているので安全性が高い。
【００２１】
ゲル組成物を形成するゲル化剤としては、例えば、
キサンタンガム、カラギーナン、ジュランガム、ローカストビーンガム、寒天、グアーガム、タマリンドガム、アルギン酸ナトリウム等の植物性多糖類、ゼラチン等の動物性たんぱく質など、
が例示でき、これらは単独でまたは２種以上を混合して使用することができる。
【００２２】
上記ゲル化剤の配合量は、ゲル組成物中、約０．０１〜１０％、好ましくは約０．１〜５．０％、さらに好ましくは約０．５〜２．０％とする。ゲル化剤の配合量が少なすぎると、ゲル組成物が弱く、崩れやすいものになってしまう。逆に多すぎると、硬いゲル組成物となり、使用の際、後述の如く容器に充填しづらくなる。
【００２３】
一方、上記油脂性成分とは、油脂を含む広い概念であり、化粧品原料の鉱物油や油脂類を好適に使用することができる。
【００２４】
例えば、
炭化水素：流動パラフィン、ワセリン、スクワレン、スクワラン等
油脂：オリーブ油、ヒマシ油、ツバキ油、コメ油、ミンク油等
ロウ類：カルナバロウ、ラノリン、ホホバ油等
高級脂肪酸：ラウリン酸、ミリスチン酸、パルミチン酸、ステアリン酸、オレイン酸、リノール酸等
高級アルコール：ラウリルアルコール、セチルアルコール、オレイルアルコール等
高級脂肪酸エステル：ミリスチン酸イソプロピル、イソステアリン酸イソプロピル、ステアリン酸ブチル、イソオクタン酸セチル等
シリコーン油：ジメチルポリシロキサン、メチルフェニルポリシロキサン、オクタンメチルシクロテトラシロキサン等
多価アルコール：エチレングリコール、ジエチレングリコール、グリセリン、プロピレングリコール、１．３ブチレングリコール等、
を使用することができ、これらは、単独でまたは２種以上を混合して用いることができる。
【００２５】
これらの中で、水溶性タイプのものが皮膚に馴染み易く、使用感が良好で、ベトツキが無くサラッとした感触を得ることができ望ましい。特に多価アルコールを主成分として好適に使用することができる。
【００２６】
なお、油脂分不足の場合は、前記多価アルコール以外の油脂性成分と併用して油脂分を補うことができる。この場合、特に脂肪酸エステルを使用すると、ベトツキが無くサラッとした感触を得ることができる。
【００２７】
油脂性成分の配合量に関しては、各油脂性成分の性状によって異なるが、例えば多価アルコール単独使用の場合、ゲル組成物に対して約１〜５０％、好ましくは約５〜４０％、さらに好ましくは約１０〜３０％とする。油脂性成分が少なすぎると、油脂分が少なすぎて指掌紋を認証しづらい。また、逆に多すぎると、ベトツキを感じるなど認証に不備が生じる。
【００２８】
また、油脂分不足の場合に多価アルコールに加えて添加する油脂の配合量は、脂肪酸エステルを使用する場合、約０．０１〜１０％、好ましくは約０．１〜５％、さらに好ましくは約１〜３％とする。
【００２９】
上記油脂性成分は、溶媒中でＯ／Ｗ型エマルションの形態で存在することが望ましい。Ｗ／Ｏ型エマルションでは、皮膚に過剰な油脂成分を与えることになり、べたつきを感じたり、また、検出器の指掌紋感知部分に多量に油脂性成分が残り、採取するごとに拭き取らないと、次に感知する指紋（隆線）が重なって移ったりするという問題点が発生しやすい。
【００３０】
安定したＯ／Ｗ型エマルションの形態を保つためには、溶媒が界面活性剤を含有することが望ましい。
【００３１】
界面活性剤としては、下記各タイプのものが使用できるが、特に非イオン界面活性剤及び／又は陰イオン界面活性剤を使用することが望ましい。非イオン界面活性剤は、汗や皮膚表面に存在するイオン性化合物と反応することがなく、かつ、アルキレンオキシド付加数を変更することにより、容易に親水親油バランス：ＨＬＢ（Hydrophilic-Lipophilic Balance）が調整できるからである。また、陰イオン界面活性剤は発泡性に優れているため、後述の発泡ゲル組成物を製造しやすい。
【００３２】
非イオン界面活性剤：
▲１▼エステル型非イオン界面活性剤
グリセリン脂肪酸エステル、ポリグリセリン脂肪酸エステル、ポリエチレングリコール脂肪酸エステル、ポリオキシエチレングリセリン脂肪酸エステル、ポリオキシエチレンソルビット脂肪酸エステル、ソルビタン脂肪酸エステル、ポリオキシエチレンソルビタン脂肪酸エステル、ショ糖脂肪酸エステル、ポリオキシエチレン脂肪酸アミドエステル等
▲２▼エーテル型非イオン界面活性剤
ポリオキシエチレンアルキルエーテル、ポリオキシエチレンアルキルフェニルエーテル、ポリオキシエチレンポリオキシプロピレンアルキルエーテル等
▲３▼エーテルエステル型非イオン界面活性剤
ポリオキシエチレンヒマシ油、ポリオキシエチレン硬化ヒマシ油等
陰イオン界面活性剤：
高級脂肪酸塩、アルキル硫酸塩、ポリオキシエチレンアルキルエーテル硫酸塩等の硫酸エステル塩、アルキルスルホン酸塩、Ｎ−アシルスルホン酸塩等のスルホン酸塩、アルキルリン酸塩等のリン酸エステル塩、Ｎ−アシルアミノ酸塩、アルキルエーテルカルボン酸塩等のカルボン酸塩、Ｎ−アシルメチルタウリン塩、ポリオキシエチレンアルキルエーテル酢酸塩、アミノ酸塩等
陽イオン界面活性剤：
脂肪酸アミン塩、脂肪族四級アンモニウム塩、ベンザルコニウム塩、塩化ベンゼトニウム、ピリジニウム塩、イミダゾリニウム塩等
両性界面活性剤：
レシチン、スルホベタイン、イミダゾリン型、酢酸ベタイン型等。
【００３３】
上記界面活性剤は、単独でまたは２種以上を混合して用いることができる。なお、ＨＬＢが高いもの、通常８．０以上のものを使用することが望ましいが、ＨＬＢが低いものであっても後述の発泡ゲル組成物を製造する際の発泡性が損なわれない程度であれば併用することができる。
【００３４】
上記界面活性剤の配合量は、各油脂性成分の性状や配合量によって乳化が異なるため限定できないが、約０．０１〜１０％、好ましくは約０．１〜５．０％、さらに好ましくは約０．５〜２．０％とする。配合量が少なすぎると、充分な乳化が難しくなる。逆に多すぎると、界面活性剤自身の油分が加えられベトツキを感じるなど指紋の認証に不備が生じる。またゲル組成物が発泡しすぎて望ましくない、すなわち、上記配合量でゲル発泡には充分である。
【００３５】
上記ゲル組成物には、その他、必要に応じて防腐剤、殺菌剤、抗菌剤、消臭剤、香料、酸化防止剤、保湿剤、増粘剤、ビタミン剤、清涼剤、低級アルコール、各種エキス類、収斂剤、粉体、離水防止剤、粘着剤、染料、顔料、発汗抑制剤などの添加剤を、本発明の効果を阻害しない範囲で配合してもよい。
【００３６】
上記ゲル組成物は、後述の如く表面に触れることで指掌に溶媒が塗布可能であるため、ゼリー状のゲル組成物であっても使用可能である。しかし、使用時に、指等で強く押し付けた場合や、爪が長い人が使用すると、ゲルが割れてしまう場合がある。
【００３７】
よって、ゲル組成物に安定な弾力性と適度な湿潤力を付与するためには、上記ゲル組成物を、空気をかませた発泡ゲル組成物にすると、ゲル組成物内に気泡の穴ができ弾力が出て、過剰な油分が指掌に付きにくくなる。また、ゲルが割れにくくなる。
【００３８】
上記発泡ゲル組成物は、公知の方法により製造することができる。例えば、油脂性成分を、発泡性を有する界面活性剤と水で乳化させ、その乳化物に必要な添加剤を加え、ゲル化剤を入れて、ゲル化を行うことで容易に製造可能である（加熱も必要）。
【００３９】
次に、上記ゲル組成物、即ち、指掌紋読み取り用皮膚調整剤の使用方法について説明する。上記ゲル組成物は、油脂性成分を含有する溶媒を保持してなるため、ゲル組成物表面に触れると、触れた皮膚の部分に溶媒が塗布され、指掌紋認証に良好な皮膚状態となる。
【００４０】
そのため、指紋を認証する場合には、認証する指をゲル組成物に乗せ、適度な油分を湿潤させるだけで皮膚の状態を良好にすることができる。よって、従来のエアゾール式の塗布方法などのように適当量を取って塗布する必要がなく、時間の短縮を図ることができる。
【００４１】
より使用しやすくするには、上記ゲル組成物を容器に充填して指掌紋読み取り用皮膚調整剤とし、ゲル組成物表面に触れ易い状態とすればよい。例えば、携帯用容器に充填すれば、持ち運び自由となり、どこでも指紋認証が可能となる。また、ゲル組成物を充填した容器を、認証システムの近くの壁面等に常設しておけば、より便利になる。
【００４２】
なお、上述の如く、ゲル組成物を充填した容器を壁面など垂直に近い状態で常設する場合は、ゲル組成物が、容器から離脱しない程度の形態保持性を有している必要がある。この場合は、容器を開放状態で直立させた際に、ゲル組成物が容器の垂直面となる開放面から流下しないようにする。
【００４３】
上記の如くゲル組成物の容器からの流下を防止するには、流下防止剤をゲル組成物に配合すればよい。流下防止剤としては粘着剤、チキソトロピー付与剤、磁石粉等を使用することができるが、安全性を考慮すると、化粧品原料、食品原料等の添加剤として使用されているものが好適である。
【００４４】
上記粘着剤としては、ポリビニルアルコール、イソブテン、ロジン、酢酸ビニルなどが例示できる。粘着剤の配合量は、粘着成分の性状、油脂分とのバランスなどを考慮して適宜決定すればよいが、例えば約０．０１〜２０％、望ましくは約０．５〜１０％、さらに望ましくは約１．０〜５．０％とすることができる。粘着成分が少なすぎると、粘着が弱くなり、上記の如く垂直に近い状態で容器を常設する場合、容器からゲル組成物が落下する原因となる。逆に多すぎると、ベトツキが目立つなどの悪影響が出る。なお、これら粘着剤は油脂性成分の役目も兼ねるため、油脂分不足の場合には、油脂分として考え配合量を調製してもよい。
【００４５】
上記チキソトロピー付与剤としては、汎用のエロジン、ベントナイト、水添ヒマシ油、炭酸カルシウム、ケイ酸アルミニウム、シリカなどが使用可能である。チキソトロピー付与剤の添加量は、チキソトロピー付与剤の種類によって異なるが、容器からの流下が防止できる量の範囲内で適宜選択する。
【００４６】
上記磁石粉を配合する場合は、ゲル組成物中に配合された磁石粉相互が磁力で引き合うことにより容器からの流下を防止可能である。特に容器を磁性体とすると、容器へのゲル組成物の保持力がさらに高まる。磁石粉の配合量は、容器からのゲル組成物の流下が防止でき、皮膚調整に影響を与えない範囲で適宜設定することができる。
【００４７】
なお、従来のエアゾール、ポンプ等による泡式、本発明のゲル状の皮膚調整剤以外の考えられる形態として、ワックス状、クリーム状等が考えられる。これらはいずれも皮膚調整剤として使用可能であるが、Ｗ／Ｏ型のワックス状、クリーム状等は、油脂分が多すぎて認証用システムにおける指紋感知部分上に油分が残りやすく、使用の度に感知部分を拭き取る必要がある。また、手がべたつく等の不具合が生じる。また、Ｏ／Ｗ型のワックス状、クリーム状等は、水分が多すぎて指紋が滲み易く、乾燥性が悪い等の不具合が生じる。
【００４８】
以上、本発明の指掌紋読み取り用皮膚調整剤について説明を行ったが、上記方法により、容器からの流下を防止したゲル組成物は、指掌紋読み取り用皮膚調整剤以外の用途にも使用が期待できる。例えば、下記の構成、
「流下防止剤を含有する容器入りゲル組成物であって、容器を開放状態で直立させた際に、ゲル組成物が前記容器から流下しないことを特徴とするゲル組成物」
は、特に形態保持性を必要とする各種薬品、食品などにおいて使用可能性を有する。例えば、店頭に陳列する化粧品サンプルの容器からの離脱防止などに適用できる。
【００４９】
【発明の効果】
本発明の指掌紋読み取り用皮膚調整剤は、油脂性成分を含有する溶媒を保持してなるゲル組成物とすることで、従来のエアゾールタイプの皮膚調整剤とは異なった使用態様とすることができる。すなわち、従来のエアゾールタイプの皮膚調整剤が、比較的短時間で多人数が使用可能であるのに対し、本発明のゲルタイプの皮膚調整剤は、小型化が可能であり、使用態様がより広くなる。
【００５０】
さらに、油脂性成分が親水性の多価アルコールを主成分とするものであると、塗布後のベトツキ感を抑えることができ、皮膚調整剤塗布後に手を洗う必要がない。
【００５１】
また、発泡ゲル組成物とすることで安定な弾力性が付与でき、皮膚調整剤の過剰な塗布がなくなるとともに、ゲルの強度が向上する。
【００５２】
よって、多汗症の人、脂症の人、乾燥肌の人、指紋隆線が細い人などの指掌紋認証に有効利用でき、従来のエアゾールタイプの皮膚調整剤と同等もしくはそれ以上の効果を得ることができる。
【００５３】
【実施例】
以下、本発明の効果を確認するために行った実施例について説明を行う。下記表１の処方に従い、各実施例の皮膚調整剤を発明の詳細な説明の欄で述べた調製法に従い調製した。なお、表において、離水防止剤としては乳酸カルシウムを使用した。
【００５４】
【表１】
0003973885.tif 000002
【００５５】
表１における各実施例の皮膚調整剤について、ゲルの状態及び指に塗布して指紋検知を行った場合の状態について評価を行った。
【００５６】
ゲルの状態に関する評価基準及び評価方法は、下記の如くである。
【００５７】
・離水：経時的にゲル組成物の表面に水が浮いてくるか否かを目視にて確認
・弾力性：ゲル組成物を指で押した時に、弾力を感じるか否かを目視、感覚にて確認
・割れ易さ：ゲル組成物を指で押し付けた時、割れるか否かを目視にて確認
・容器からの落下：容器に充填したゲル組成物を垂直の状態に保ち、経時的に容器から、ゲル組成物が剥がれ落ちるか否かを目視にて確認
・乾燥後：ゲル組成物が最後まで湿潤を保っているか否かを目視、感覚にて確認
・スポンジ状：ゲル組成物が最後までスポンジ状を維持しているか否かを目視、感覚で確認。
【００５８】
ゲル状態の評価結果を表２に示す。
【００５９】
【表２】
0003973885.tif 000003
【００６０】
表２より、いずれの実施例のゲル組成物も使用可能ではあるが、界面活性剤を添加した実施例５〜８はゲル状態が特に良好であることがわかる。
【００６１】
次に、指に皮膚調整剤を塗布して指紋検知を行った場合の状態について評価を行った結果を表３に示す。なお、各評価基準は下記の如くであり、評価に使用した指紋認証装置としては、ＮＥＣ社製「ＰＩＤ」を使用した。
【００６２】
・指のベトツキ：ゲル組成物に指を乗せた直後、タオル、ティッシュ等で拭き取る必要がある感覚を生じるか否かで判定
・指紋隆線の形：ゲル組成物に指を乗せる事により、指紋全体に均一に湿潤でき、隆線全体に極端に不自然な線が生じないか否かをモニター画面で判定
・指紋隆線のムラ：ゲル組成物に指を乗せる事により、指紋全体に均一に湿潤でき、隆線全体に濃淡無く均一に認証できるか否かをモニター画面で判定
・指紋隆線の鮮明性：一回ゲル組成物に指を乗せる事で、油脂分が適量で、認証後の映像が鮮明か否かをモニター画面で判定
・指紋隆線の滲み：多汗症、脂性の人に関して、指紋認証中に発汗や脂がでてきて、隆線が滲んで、採取し難くなるか否かをモニター画面で判定
・検知部分の油脂残：次の指紋認証時に前の指紋が、検知部分に残っているか否かをモニター画面で判定（油が残っていればモニター画面に黒く出る）
・指紋認証の持続性：一回ゲル組成物に指を乗せる事で、指紋が安定して認証できるか否かをモニター画面で判定
・指紋認証の再現性：一認証箇所について、連続して２〜３回の認証が可能か否かをモニター画面で判定
【００６３】
【表３】
0003973885.tif 000004
【００６４】
表３より、油脂性成分として親水性の多価アルコールと脂肪酸エステルを併用し、界面活性剤を添加した実施例８の配合が最も指紋検知に好適であることがわかる。